(57)【要約】【課題】現金収納装置１が横に倒され破壊行為が行われた場合であっても、現金収納装置１内の紙幣１２の隙間にインク２４を効率よく付着させる。【解決手段】インク噴射ノズル８を備え、積載された現金１２にインク２４を付着させて盗難を抑制する現金収納装置１において、前記インク噴射ノズル８は、上部に、前記現金をさばくさばき板３０を有し当該さばき板３０の下側に噴射孔８ａを備え、下部に、前記インク２４を前記噴射孔８ａへと運ぶ伸縮パイプ９を備え、スライドシャフト３１にガイドされ前記インク２４を押し出す圧力により上方向にスライドするようにした。【選択図】図１
2012252479.tif 000002
【特許請求の範囲】
【請求項１】
インク噴射ノズルを備え、押圧板上に積載された現金にインクを付着させて盗難を抑制する現金収納装置において、
前記インク噴射ノズルは、上部に、前記現金をさばくさばき板を有し当該さばき板の下側に噴射孔を備え、下部に、前記インクを前記噴射孔へと運ぶ伸縮パイプを備え、スライドシャフトにガイドされ前記インクを押し出す圧力により前記押圧板の下側から上方向にスライドするようにしたことを特徴とする現金収納装置。
【請求項２】
前記インク噴射ノズルは、前記さばき板の後端に支点を備え、前記支点を支点とした前記さばき板の回動による先端の押し下げによりスライドし前記インク噴射ノズルの噴射孔と重なる噴射孔を配したスライド板と、前記スライドに対向する付勢手段を設けたことを特徴とする請求項１記載の現金収納装置。
【発明の詳細な説明】
【技術分野】
【０００１】
本発明は、現金を取扱う現金自動預払機や現金自動支払機等の自動取引装置において、現金にインクを付着させて盗難を抑制する技術に関する。
【背景技術】
【０００２】
一般に、コンビニエンスストアや金融機関には現金自動預払機や現金自動支払機等の自動取引装置が配設されており、この自動取引装置には顧客が入金した紙幣を受け取り、カウントして収納して保管したり、保管している現金の中から顧客に払い出すための紙幣カセットや紙幣スタッカ等の現金収納装置が内蔵されている。
【０００３】
近年、この現金を狙って、ブルドーザ、パワーショベル等の重機を使用して自動取引装置の現金収納装置を破壊して現金を盗み出したり、自動取引装置をそのまま持ち去る盗難が増加している。
【０００４】
そこで、この現金収納装置に収納された紙幣の盗難防止策として、自動取引装置への異常行為を検出して現金収納装置内の紙幣の隙間にインクを噴射して汚損させる防犯対策が採られている。
【０００５】
図６は、上記防犯対策を備えた従来の自動取引装置の現金収納装置１１の構成図である。同図に示したように、従来の現金収納装置１１は、押圧板１３に接続され、押圧板１３を上下方向（矢印Ｆ、Ｇ方向）に案内する左右のベルト１４と、当該左右のベルト１４に接続されてその動作を同期させるシャフト１５と、当該シャフト１５に固定されたギヤ１６と、当該ギヤ１６の回転を停止させる押圧板保持板２１と、インク貯蔵部１７とインク噴射ノズル１８とを連結するインクパイプ１９を有している。
【０００６】
以上の構成により、従来の現金収納装置１１は、装置内に配備された図示しないセンサ等により異常操作を検出すると図示しない制御部によりインク貯蔵部１７のガス発生部２２に起動信号を送信する。
【０００７】
すると、ガス発生部２２は、制御部からの信号を受けて化学反応によってガスを発生させ、発生したガスの圧力によってインク押し出し板２３を押してインク２４を押し出し、矢印Ｂのようにインクパイプ１９を経由してインク噴射ノズル１８の噴射孔より矢印Ｃのように紙幣１２に噴射させる。
【０００８】
このとき、押し出されたインク２４の圧力を用いて押圧板保持板２１のロックを解除し、押圧板１３および紙幣１２が重力によって矢印Ｇのように下がるときに発生する紙幣１２の隙間にインク２４を噴射し、少量のインク２４で紙幣１２を汚損させて盗難を抑制する技術はあった（例えば、特許文献１参照）。
【先行技術文献】
【特許文献】
【０００９】
【特許文献１】特開２００６−３３８２１８号公報
【発明の概要】
【発明が解決しようとする課題】
【００１０】
しかしながら、上記従来の現金収納装置１１では、押圧板１３および紙幣１２の自重を利用して紙幣１２間に隙間を生じさせるため、現金収納装置１１が横倒しにされた状態で破壊行為がされた場合は、押圧板１３上の紙幣１２に隙間が発生せず、紙幣１２端部のみにインクが噴射され、十分な盗難防止の効果が得られないという問題があった。
【課題を解決するための手段】
【００１１】
本発明は、前述の課題を解決するために次の構成を採用する。すなわち、インク噴射ノズルを備え、押圧板上に積載された現金にインクを付着させて盗難を抑制する現金収納装置において、前記インク噴射ノズルは、上部に、前記現金をさばくさばき板を有し当該さばき板の下側に噴射孔を備え、下部に、前記インクを前記噴射孔へと運ぶ伸縮パイプを備え、スライドシャフトにガイドされ前記インクを押し出す圧力により前記押圧板の下側から上方向にスライドするようにした。
【発明の効果】
【００１２】
本発明の現金処理装置によれば、以上のように構成したので、現金収納装置が横に倒され破壊行為が行われた場合であっても、現金収納装置内の紙幣の隙間にインクを効率よく付着させることができる。
【図面の簡単な説明】
【００１３】
【図１】実施例１の現金収納装置の構成および動作説明図である。
【図２】実施例１の現金収納装置の要部構成および動作説明図である。
【図３】実施例１の現金収納装置の動作説明図である。
【図４】実施例２の現金収納装置の要部構成および動作説明図である。
【図５】伸縮パイプの変形例である。
【図６】従来の現金収納装置の構成および動作説明図である。
【発明を実施するための形態】
【００１４】
以下、本発明に係わる実施の形態例を、図面を用いて説明する。図面に共通する要素には同一の符号を付す。
【実施例１】
【００１５】
（構成）
図１は、実施例１の現金収納装置１の構成図であり、図２は本発明の要部となるインク噴射ノズル８の構成図である。同図に示したように、実施例１の現金収納装置１は、従来の現金収納装置１１のインク噴射ノズル１８に替えて、押圧板１３の下側に、上部にさばき板３０を配置したインク噴射ノズル８を設けている。
【００１６】
インク噴射ノズル８は、さらに、さばき板３０の下側に噴射孔８ａを備え、スライドシャフト３１にガイドされて上下方向（矢印Ｆ、Ｇ方向）にスライドできるようになっており、インク噴射ノズル８の下部には、インクパイプ１９と連結する蛇腹状の伸縮パイプ９が設けられており、インク噴射ノズル８が現金収納装置１の上端まで移動して伸びても十分な長さが確保できるようになっている。
【００１７】
その他の構成は従来の現金収納装置１１の構成と同様であるので、簡略化のためにその詳細な説明は省略する。
【００１８】
（動作）
以上の構成により実施例１の現金収納装置１は、以下のように動作する。この動作を前出図１、図２および図３の動作説明図を用いて以下詳細に説明する。
【００１９】
まず、現金収納装置１内の図示しないセンサにより異常操作を検出すると、図示しない制御部によりインク貯蔵部１７のガス発生部２２に対して起動信号を送信する。
【００２０】
すると、ガス発生部２２は、制御部からの起動信号を受けて、化学反応によってガスを発生させ、発生したガスの圧力によってインク押し出し板２３を押し、インク２４をインク貯蔵部１７より押し出し、インクパイプ１９、伸縮パイプ９を経由して矢印Ｂのようにインク噴射ノズル８に到達させる。
【００２１】
すると、インク２４の圧力によってインク噴射ノズル８はスライドシャフト２１にガイドされて上方向（矢印Ｆ方向）に移動する。
【００２２】
このインク噴射ノズル８の上方向（矢印Ｆ方向）への移動により、図３に示したように、押圧板１３上に積載された紙幣１２をさばき板３０の先端で矢印Ａのようにさばきながら、紙幣１２の間に発生した隙にインク２４を噴射孔８ａより噴射し、紙幣１２にインク２４を付着させる。
【００２３】
（実施例１の効果）
以上のように実施例１の現金収納装置によれば、インク噴射ノズルを備え、押圧板上に積載された現金にインクを付着させて盗難を抑制する現金収納装置において、前記インク噴射ノズルは、上部に、前記現金をさばくさばき板を有し当該さばき板の下側に噴射孔を備え、下部に、前記インクを前記噴射孔へと運ぶ伸縮パイプを備え、スライドシャフトにガイドされ前記インクを押し出す圧力により前記押圧板の下側から上方向にスライドするようにしたので、現金収納装置が横に倒され破壊行為が行われた場合であっても、現金収納装置内の紙幣の隙間にインクを効率よく付着させることができる。
【実施例２】
【００２４】
（構成）
図４は、実施例２の現金収納装置１の要部としてのインク噴射ノズル８の構成を示した構成図である。同図に示したように、実施例２の現金収納装置１では、インク噴射ノズル８のさばき板３０に支点３０ａを設け、さばき板３０の先端の矢印Ｄ方向への移動により矢印Ｄ’方向にスライドしインク噴射ノズル８の噴射孔８ａと重なる噴射孔８ｂを配したスライド板３３を設け、矢印Ｄ’方向へのスライドに対向する付勢手段としてのバネ３２を設けている。その他の構成は実施例１の現金収納装置１の構成と同様であるので、同様の構成については簡略化のためにその詳細な説明は省略する。
【００２５】
（動作）
以上の構成により実施例２の現金収納装置１は、以下のように動作する。なお、インクの圧力によってインク噴射ノズル８がスライドシャフト２１にガイドされて上方向（矢印Ｆ方向）に移動する動作は実施例１の現金収納装置１の動作と同様であるので簡略化のためにその詳細な説明は省略する。
【００２６】
まず、通常時は、インク噴射ノズル８はインク２４による圧力を受けることなく、図４（ａ）のように、スライド板３３は、ばね３２によって上方向（矢印Ｆ方向）に持ち上げられており、インク噴射ノズル８の噴射孔８ａとスライド板３３の噴射孔板８ｂは、ずれた状態となっており、インク２４は噴射されることはない。
【００２７】
そして、現金収納装置１１内の図示しないセンサにより異常操作が検出されると、ガス発生部２２の化学反応によってガスを発生させ、発生したガスの圧力によってインク押し出し板２３を押し、インク２４をインク貯蔵部１７より押し出し、インクパイプ１９、伸縮パイプ９を経由して矢印Ｂのようにインク噴射ノズル８に到達させる。
【００２８】
すると、到達したインク２４の圧力によりインク噴射ノズル８が上方向（矢印Ｆ方向）に移動し、前述の図３と同様に、押圧板１３上の紙幣１２をさばき板３０により押上げる。このとき、実施例２のインク噴射ノズル８では、さばき板３０の後端には支点３０ａを設けているので、先端が支点３０ａを支点として図４（ｂ）の矢印Ｄのように回動して押し下げられる。
【００２９】
このさばき板３０の回動による先端の押し下げにより、さばき板３０の下側に設けたスライド板３３がバネ３２の付勢力に打ち勝って、矢印Ｄ’のように押し下げられ、インク噴射ノズル８の噴射孔８ａと噴射孔８ｂが重なる位置となり、インク２４が矢印Ｃのように噴出する。
【００３０】
以上のように、押圧板１３上に積載された紙幣１２をさばき板３０の先端でさばきながら、紙幣１２の間に発生した隙にインク２４を噴射孔８ａより噴射し、紙幣１２にインク２４を付着させる。
【００３１】
（実施例２の効果）
以上のように、実施例２の現金処理装置によれば、インク噴射ノズルは、後端に支点を備えたさばき板と、前記支点を支点とした前記さばき板の回動による先端の押し下げによりスライドし前記インク噴射ノズルの噴射孔と重なる噴射孔を配したスライド板と、前記スライドに対向する付勢手段を設けたので、実施例１の効果に加え、紙幣をさばくときのみインクが噴射され、さらに効率よく紙幣の隙間にインクを付着させることができる。
【００３２】
《その他の変形例》
以上の実施例の説明では、伸縮パイプ９を蛇腹状のパイプとして説明したが、図５（ａ）に示したようなコイル状の柔軟なパイプ９ａ或いは図５（ｂ）に示したようなスライド自在に嵌合する複数の筒材からなる伸縮パイプ９ｂとしてもよい。
【産業上の利用可能性】
【００３３】
本発明は、防盗性を要する現金を取扱う現金自動預払機や現金自動支払機等の自動取引装置に広く用いることができる。
【符号の説明】
【００３４】
１、１１  現金収納装置
８、１８  インク噴射ノズル
８ａ、８ｂ  噴射孔
９、９ａ、９ｂ    伸縮パイプ
１２  紙幣
１３  押圧板
１４  ベルト
１５  シャフト
１６  ギヤ
１７  インク貯蔵部
２１  押圧板保持板
２２  ガス発生部
２３  インク押出し板
２４  インク
３０  さばき板
３０ａ  支点
３１  スライドシャフト
３２  バネ
３３  スライド板
【図１】
2012252479.tif 000003
【図２】
2012252479.tif 000004
【図３】
2012252479.tif 000005
【図４】
2012252479.tif 000006
【図５】
2012252479.tif 000007
【図６】
2012252479.tif 000008